(57)【特許請求の範囲】
【請求項１】
ヘアドライヤの空気流出口端部に取り付けるためのディフューザであって、
空気入口端部と、空気出口端部と、前記空気入口端部と前記空気出口端部との間に延びる外向きテーパ壁とを含み、拡散空気室を定め、前記空気出口端部から複数の円周方向に離間した溶接リブが直立するプラスチック製のバッフルと、
複数の空気出口と、前記バッフルの前記溶接リブが超音波溶接された環状の棚部とを含むプラスチック製のグリルと、
を備えることを特徴とするディフューザ。
【請求項２】
前記グリルの内面は、第１のコネクタを含み、前記バッフルは、第２のコネクタを含み、前記第１及び第２のコネクタの一方は、雄コネクタを含み、前記第１及び第２のコネクタの他方は、前記雄コネクタを受け入れる雌コネクタを含む、
ことを特徴とする請求項１に記載のディフューザ。
【請求項３】
前記コネクタは、互いに係合する角度合わせ部材を含む、
ことを特徴とする請求項２に記載のディフューザ。
【請求項４】
前記バッフルの前記外向きテーパ壁を取り囲んで、該外向きテーパ壁との間に空気チャネルを定めるプラスチック製の外壁を備える、
ことを特徴とする請求項１から３のいずれかに記載のディフューザ。
【請求項５】
前記外壁は、前記バッフルの前記空気出口端部に超音波溶接された複数の角度的に離間する溶接リブを含む、
ことを特徴とする請求項４に記載のディフューザ。
【請求項６】
前記外壁の前記溶接リブ及び前記バッフルの前記リブの各々は、実質的に同じ直径を有する円形パターンで配置される、
ことを特徴とする請求項５に記載のディフューザ。
【請求項７】
前記外壁の前記リブは、前記バッフルの前記リブと角度的に位置合わせされる、
ことを特徴とする請求項６に記載のディフューザ。
【請求項８】
前記外壁の前記リブの各々は、前記外壁の内面に形成された、前記外壁を前記バッフル
の前記外向きテーパ壁から離間させるそれぞれのスペーサから直立する、
ことを特徴とする請求項５から７のいずれかに記載のディフューザ。
【請求項９】
前記バッフルの前記空気出口は、前記外壁の隣接するスペーサ間に配置された角度合わせ部材を含む、
ことを特徴とする請求項８に記載のディフューザ。
【請求項１０】
ヘアドライヤの空気流出口端部に取り付けるためのディフューザの組み立て方法であって、
空気入口端部と、空気出口端部と、前記空気入口端部と前記空気出口端部との間に延びる外向きテーパ壁とを含み、拡散空気室を定め、前記空気出口端部から円周方向に離間した複数の溶接リブが直立して円形パターンで配置されたプラスチック製のバッフルを準備するステップと、
複数の空気出口及び環状の棚部を含むプラスチック製のグリルを準備するステップと、  前記溶接リブが前記棚部の内面に係合するように前記バッフルの前記空気出口端部を覆って前記グリルを位置付けるステップと、
前記グリルを前記バッフルに超音波溶接するステップと、
を含むことを特徴とする方法。
【請求項１１】
前記バッフルの前記リブの前記円形パターンと同じ直径を有する円形パターンで配置された複数の円周方向に離間した溶接リブを含むプラスチック製の外壁を準備するステップと、
前記バッフルを前記外壁内に位置付けるステップと、
前記外壁を前記バッフルに超音波溶接するステップと、
を含むことを特徴とする請求項１０に記載の方法。
【請求項１２】
前記外壁は、前記グリルを前記バッフルに溶接するのと同時に前記バッフルに溶接される、
ことを特徴とする請求項１１に記載の方法。
【発明の詳細な説明】
【技術分野】
【０００１】
本発明は、ヘアドライヤのためのディフューザに関する。
【背景技術】
【０００２】
ディフューザは、ヘアドライヤの既知の形の付属品である。ディフューザは、ヘアドライヤの空気流出口端部に取り付けられ、ヘアドライヤから放出された空気流がユーザの毛髪に到達する前に、この空気流の速度を落とす役割を果たす。
【０００３】
ディフューザは、一般にバッフルと、バッフルに接続されたグリルとを含む。バッフルは、空気入口端部と、空気入口端部よりも大きな空気出口端部と、空気入口端部と空気出口端部との間に延びるテーパ状の壁部とを有する。空気入口端部は、ヘアドライヤからの空気流を受け取るための空気入口を含む。バッフルの壁部は、拡散空気室を定め、この内部では、空気室の断面が拡大するにつれて空気流の速度が低下する。グリルは、ディフューザの空気出口端部に接続され、ディフューザからの空気が放出される空気出口を提供する。一般に、グリルからは組の突出部又は突起部が直立して、髪の乾燥中にユーザの毛髪に接触する。一般に、各突出部は、ユーザの毛髪内に空気を放出するための空気出口を有する。
【先行技術文献】
【特許文献】
【０００４】
【特許文献１】国際公開第２０１５／００１３０６号
【発明の概要】
【課題を解決するための手段】
【０００５】
第１の態様において、本発明は、ヘアドライヤの空気流出口端部に取り付けるためのディフューザであって、ヘアドライヤからの空気流を受け取る少なくとも１つの空気入口と、空気流の少なくとも一部をディフューザから放出する複数の空気出口を含む外部グリルと、少なくとも１つの空気入口と外部グリルとの間に位置する内部グリルとを備え、内部グリルは、少なくとも１つの空気入口と空気出口との間を空気流が通り抜けるようにする開口部の配列を含むディフューザを提供する。
【０００６】
（単複の）空気入口と外部グリルの空気出口との間に内部グリルを設けることにより、ディフューザから放出される空気流のピーク速度をさらに低下できるとともに、分散及び速度の両方を通じて、外部グリルの空気出口から放出される空気流の均一性を高めることができる。
【０００７】
内部グリルは、（単複の）空気入口と空気出口との間に位置する多孔板の形を取ることが好ましい。内部グリル及び外部グリルは、異なる形状を有することが好ましい。外部グリルは、凹状の形状であることが好ましく、内部グリルは、実質的に平坦であることが好ましい。内部グリルの開口部は、実質的に同じサイズ及び形状を有することが好ましい。内部グリルの各開口部は、断面が円形であることが好ましい。開口部は、（単複の）空気入口に面する第１の入口面から、外部グリルに面する第２の出口面に向かって内向きにテーパ状であることが好ましい。換言すれば、開口部は、形状が切頭円錐形であり、各開口部の入口面の直径は、出口面の直径よりも大きいことが好ましい。内部グリルを空気が通過する際のノイズを低減するために、各開口部では、出口面上の開口部の周囲の方が、入口面上の開口部の周囲よりも鋭利であることが好ましい。入口面上の開口部の周囲は丸みを帯び、０．２ｍｍ〜０．４ｍｍの半径の曲率を有することが好ましい。内部グリルの入口面と出口面は、実質的に平行であることが好ましい。
【０００８】
出口面において、開口部は、０．２５ｍｍ〜２．５ｍｍの直径を有することが好ましい。内部グリルは、金属材料で形成することができ、この場合、開口部は、エッチング工程によって内部グリル内に形成することができる。或いは、内部グリルをプラスチック材料で形成することもでき、この場合、開口部は、内部グリルの成形中に形成することができ、出口面において１ｍｍ〜２ｍｍの直径を有することができる。
【０００９】
開口部は、配列内で均等に分布することが好ましい。配列は、実質的に内部グリルの全体にわたることが好ましい。
【００１０】
ディフューザは、（単複の）空気入口から空気出口への空気流が通過する拡散空気室を定めるバッフルを含むことが好ましい。内部グリルは、空気室内に位置する。
【００１１】
（単複の）空気入口は、バッフルによって定められることが好ましい。バッフルは、空気入口端部と、空気入口端部よりも大きな空気出口端部とを含むことが好ましい。バッフルの空気入口端部と空気出口端部との間には、外向きテーパ壁、すなわちバッフルの空気出口端部に向かって延びる方向に外向きにテーパ状になった壁部が延びる。
【００１２】
（単複の）空気入口は、バッフルの空気入口端部に位置することが好ましい。外部グリルは、バッフルの空気出口端部に接続されることが好ましい。内部グリルは、（単複の）空気入口及び外部グリルのいずれからも離間することが好ましい。好ましい実施形態では、内部グリルが、バッフルの空気入口端部と空気出口端部との間の概ね中間に位置する。例えば、内部グリルの周囲は、バッフルの壁部の内面に形成された棚部によって支持することができる。内部グリルは、内部グリルの周囲とバッフルの壁部の内面との間から空気が漏出するのを抑制するように概ね円形の周囲を有することが好ましい。
【００１３】
外部グリルの内面は、第１のコネクタを含むことが好ましく、バッフルは、外部グリルの第１コネクタに接続する第２のコネクタを含むことが好ましい。例えば第１のコネクタなどの一方のコネクタは、雄コネクタを含むことが好ましく、この例では第２のコネクタである他方のコネクタは、雄コネクタを受け入れるための雌コネクタを含むことが好ましい。これらのコネクタは、ディフューザの長手方向軸上に位置することが好ましい。コネクタは、外部グリルをバッフルに対して角度的に位置合わせする、互いに係合する角度合わせ部材を含むことが好ましい。内部グリルは中央開口部を含み、ここを通じて雄コネクタが延び、外部グリルをバッフルに接続することによって内部グリルが空気室内の固定位置に固定されるようになることが好ましい。
【００１４】
（単複の）空気入口は、単一の空気入口又は複数の空気入口を含むことができる。例えば、ディフューザは、ヘアドライヤからの空気流を受け取るための、ディフューザの長手方向軸の概ね中心に位置する単一の空気入口を含むことができる。或いは、ディフューザは、空気流を受け取るための複数の空気入口を含むこともできる。例えば、ディフューザは、ディフューザの複数の空気入口を定めるグリルを含む空気入口端部を有することができる。
【００１５】
好ましい実施形態では、（単複の）空気入口が、ディフューザの長手方向軸から離間する。（単複の）空気入口は、少なくとも１つのスロットを含むことができる。好ましい実施形態では、ヘアドライヤが、環状スロットの形の単一の空気入口を含む。このようなディフューザは、国際公開第２０１５／００１３０６号に記載されている、ヘアドライヤの空気出口端部に位置する環状スロットから高温の空気流が放出されるタイプのヘアドライヤと共に使用するのに適しており、この特許の内容は引用によって本明細書に組み入れられる。環状スロットの形の空気入口を設ける代わりに、ディフューザは、複数の湾曲したスロット形状の空気入口と、ディフューザの空気入口端部に円形パターンで配置された複数の円形空気入口、又はディフューザの長手方向軸と同心状の単一の円形空気入口とを含むことができる。
【００１６】
空気流が空気室に入り込んだ際にバッフルのテーパ壁の内面に付着するのを防ぐために、バッフルは、（単複の）空気入口からの空気流を受け取るための環状空気チャネルを含むことが好ましい。空気チャネルは、空気流の第１の部分を半径方向内向きに空気室内に放出するように配置された第１の組の出口と、空気流の第２の部分を半径方向外向きに空気室内に放出するように配置された第２の組の出口とを含む。空気チャネルの２つの組の出口を通じて空気流を放出することにより、空気室全体にわたって比較的均一に空気流を分散させることができる。
【００１７】
第２の態様において、本発明は、ヘアドライヤの空気流出口端部に取り付けるためのディフューザであって、空気入口端部と、空気出口端部と、空気入口端部と空気出口端部との間に延びる外向きテーパ壁とを含み、拡散空気室を定めるバッフルと、バッフルに接続された、複数の空気出口を含むグリルとを備え、バッフルは、空気入口端部に位置してディフューザの長手方向軸から離間した少なくとも１つの空気入口と、少なくとも１つの空気入口からの空気流を受け取るための環状空気チャネルとを含み、空気チャネルは、空気流の第１の部分を半径方向内向きに空気室内に放出するように配置された第１の組の出口と、空気流の第２の部分を半径方向外向きに空気室内に放出するように配置された第２の組の出口とを含むディフューザを提供する。
【００１８】
空気チャネルは、空気入口端部から直立する環状内側チャネル壁と、空気入口端部から直立する環状外側チャネル壁とによって少なくとも部分的に区切られることが好ましい。チャネル壁の端部には、環状端壁を接続することができる。第１の組の出口は、内側チャネル壁に形成されることが好ましい。第２の組の出口は、外側チャネル壁に形成されることが好ましい。
【００１９】
各組の出口内では、出口の数が４〜１０であることが好ましい。これらの組の出口は、同じ数の出口を含むことが好ましい。第１の組の出口は第１の角度配列で配置されることが好ましく、第２の組の出口は第２の角度配列で配置されることが好ましい。各配列内では、これらの出口が等角度で離間することが好ましい。第２の角度配列は、第１の角度配列の出口が第２の角度配列の出口と重ならないように第１の角度配列に対して角度的にオフセットされることが好ましい。
【００２０】
バッフルは、空気入口端部から直立する突出部を含むことが好ましい。突出部は、第２のコネクタを含むことが好ましい。突出部は、空気出口端部に向かって延びる方向に内向きにテーパ状になるように、実質的に円錐形又は切頭円錐形であることが好ましい。第１の組の出口は、突出部を取り囲み、第１の組の出口から空気が放出されると、この空気は、突出部によってバッフルの空気出口端部の中心部に向かって誘導されるようになる。
【００２１】
従って、第１の組の出口は、空気チャネルからの空気流の第１の部分を突出部に向けて放出するように配置されることが好ましく、第２の組の出口は、空気チャネルからの空気流の第２の部分を外向きテーパ壁に向けて放出するように配置されることが好ましい。
【００２２】
第３の態様において、本発明は、ヘアドライヤの空気流出口端部に取り付けるためのディフューザであって、空気入口端部と、空気出口端部と、空気入口端部から直立し、空気出口端部に向かって延びる方向に内向きにテーパ状になった円錐形又は切頭円錐形の突出部と、空気入口端部と空気出口端部との間に延びて突出部を取り囲む外向きテーパ壁とを含むバッフルと、バッフルに接続された、複数の空気出口を含むグリルとを備え、バッフルは、空気入口端部に位置してディフューザの長手方向軸から離間した少なくとも１つの空気入口と、この少なくとも１つの空気入口からの空気流を受け取るための、突出部と外向きテーパ壁との間に位置する環状空気チャネルとを含み、空気チャネルは、空気チャネルからの空気流の第１の部分を突出部に向けて放出するように配置された第１の組の出口と、空気チャネルからの空気流の第２の部分を外向きテーパ壁に向けて放出するように配置された第２の組の出口とを含むディフューザを提供する。
【００２３】
空気出口は、実質的に外部グリルの外面全体にわたることができる。しかしながら、好ましい実施形態では、外部グリルが複数の領域を含む。これらの領域のうち、第１の領域は、第１の組の空気出口を含み、第２の領域は、第２の組の空気出口を含み、第１の領域と第２の領域との間に位置する第３の領域は、実質的に空気出口を含まないことが好ましい。第１の領域は、グリルの中心部であることが好ましく、第２の領域は、グリルの周辺部であることが好ましい。実質的に空気出口を含まない１又は２以上の領域は、グリルの周辺部とグリルの中心部との間に位置することが好ましい。例えば、グリルは、外部グリルの中心部と周辺部との間に位置する、空気出口を含まない環状領域を含むことができる。或いは、グリルは、各々が外部グリルの中心部と周辺部との間に位置する、空気出口を含まない複数の領域を含むこともできる。このような複数の領域は、中心部の周囲で角度的に離間し、この複数の領域のうちの隣接する領域間に空気出口が存在することができる。
【００２４】
外部グリルを、空気入口を有する領域と、空気出口を有していない１又は２以上の領域とに分離することにより、ディフューザの外部グリルから放出される空気の均一性をさらに高め、ディフューザから放出される空気流のピーク速度を低下させることができる。第４の態様において、本発明は、ヘアドライヤの空気流出口端部に取り付けるためのディフューザであって、ヘアドライヤからの空気流を受け取る少なくとも１つの空気入口と、空気流の少なくとも一部を放出する複数の空気出口を含むグリルとを備え、各空気出口は、実質的に同じ形状を有し、複数の空気出口は、グリルの第１の領域に位置する第１の組の空気出口と、グリルの第２の領域に位置する第２の組の空気出口とを含み、グリルは、実質的に空気出口を含まない、第１の領域と第２の領域との間に位置する少なくとも１つの第３の領域を含むディフューザを提供する。
【００２５】
外部グリルは、これらの空気出口を実質的に含まない複数の第３の領域を含むことができる。１又は複数の第３の領域は、外部グリルの外面の表面積の少なくとも５％を占めることが好ましく、少なくとも１０％を占めることがさらに好ましく、外部グリルの外面の表面積の１０％〜４０％を占めることが好ましい。例えば、第３の領域が、外部グリルの第１の領域と第２の領域との間に位置する環状領域を含む場合、この環状領域は、外部グリルの外面の表面積の１０％〜４０％を占めることが好ましく、１５％〜３５％を占めることがさらに好ましい。
【００２６】
第１の組の空気出口は、外部グリルの中心に位置する円形配列で配置することができる。好ましい実施形態では、第１の組の空気出口が、第１の環状配列で配置され、第２の組の空気出口が、第１の環状配列の周囲に広がる第２の環状配列で配置される。これらの環状配列の各々は、半径方向に広がる幅を有し、第２の環状配列の幅は、第１の環状配列の幅よりも大きいことが好ましい。第１の環状配列と第２の環状配列との間の半径方向距離は、５ｍｍ〜２５ｍｍとすることができる。
【００２７】
外部グリルは、金属材料で形成することができ、この場合、空気出口は、エッチングによって形成することができる。或いは、外部グリルをプラスチック材料で形成することもできる。空気出口は、外部グリル内に形成された比較的緊密な配列で配置されることが好ましい。複数の空気出口の各々は、その隣接する空気出口から、０．５ｍｍ〜２ｍｍの距離だけ離間することが好ましく、好ましい実施形態では、１．５ｍｍ〜１．６ｍｍの距離だけ離間する。
【００２８】
各空気出口は、外部グリルの内面から外部グリルの外面に延びる。グリルの空気出口を空気が通過する際のノイズを低減するために、各空気出口では、グリルの外面上の空気出口の周囲の方が、グリルの内面上の空気出口の周囲よりも鋭利になっている。内面上の空気出口の周囲は丸みを帯び、０．２ｍｍ〜０．４ｍｍの半径の曲率を有することが好ましい。
【００２９】
外部グリルの各空気出口は、断面が円形であることが好ましい。空気出口は、外部グリルの内面から外部グリルの外面に向かって内向きにテーパ状であることが好ましい。換言すれば、開口部は、形状が切頭円錐形であり、各開口部の内面の直径は、外面の直径よりも大きいことが好ましい。少なくとも大部分の空気出口、好ましくは全ての空気出口は、外面における直径が、好ましくは０．５ｍｍ〜２．５ｍｍであり、さらに好ましくは１．２５ｍｍ〜１．７５ｍｍである、実質的に同じ形状を有することが好ましい。この範囲のサイズの開口部を設けることにより、例えば濡れた毛髪の乾燥中に外部グリル上に落下した水滴を、空気出口内にメニスカスを形成し、メニスカスの表面張力によって空気出口内に保持されるように促すことができる。さらに、これにより、水が単純に空気出口を通過して空気室に入り込むのとは対照的に、外部グリルの外面上に水が蓄積するように促される。
【００３０】
第５の態様において、本発明は、ヘアドライヤの空気流出口端部に取り付けるためのディフューザであって、ヘアドライヤからの空気流を受け取る少なくとも１つの空気入口と、空気流の少なくとも一部をディフューザから放出する複数の空気出口を含むグリルとを備え、空気出口の各々は、グリルの内面からグリルの外面に延び、空気出口の少なくとも大部分は、グリルの外面における直径が０．５ｍｍ〜２．５ｍｍである実質的に同じ形状を有するディフューザを提供する。
【００３１】
ディフューザは、外部グリルから直立してユーザの毛髪と接触する複数の突出部又は突起部を含むことが好ましい。突出部の一部は、第１及び第２の組の空気出口間に位置するグリルの第３の領域内に位置することが好ましく、残りの突出部は、グリルの第２の領域内の、この領域の空気出口間に位置することが好ましい。
【００３２】
各突出部は、空気入口と、グリルの空気出口から離間した空気出口と、空気入口と空気出口との間に延びるボアとを含むことが好ましい。従って、（単複の）空気入口を通じてディフューザに入り込んだ空気流の第１の部分は、グリルの空気出口から放出され、空気流の第２の部分は、突出部の空気出口から放出される。ディフューザから放出される空気流の各部分は、バッフルの空気チャネルから放出される空気流のそれぞれの部分に必ずしも対応するとは限らない。
【００３３】
突出部のボアの長手方向軸は、ディフューザの長手方向軸と平行であることが好ましい。各突出部の空気入口は、外部グリルの内面に位置し、グリルの複数の空気出口の各々よりも大きなサイズを有することが好ましい。例えば、各突出部は、形状が円形で３ｍｍ〜１５ｍｍの直径を有する空気入口を有することが好ましい。
【００３４】
各突出部の空気出口は、外部グリルから離れた突出部の端部に位置することが好ましい。空気出口は、各突出部が空気流のそれぞれの部分をディフューザの長手方向軸に対して角度の付いた方向に放出するように突出部の側面に位置することが好ましい。各突出部は、グリルの複数の空気出口の各々のサイズよりも大きなサイズの空気出口を有することが好ましい。各突出部は、外部グリルから離れた先端部と、外部グリルから先端部への方向に延びる長さとを有する。突出部の空気出口の長さは、突出部の長さの少なくとも３分の１であることが好ましく、突出部の長さの少なくとも２分の１であることがさらに好ましい。突出部の各空気出口は、概ね細長い形状を有し、すなわち空気出口の長さは、空気出口の幅よりも大きいことが好ましい。
【００３５】
ディフューザを用いて毛髪を乾かすのに必要な時間を短縮するために、突出部の空気出口は、空気を様々な異なる方向に放出するように配置される。好ましい実施形態では、突出部が、第１の組の突出部と、第１の組の突出部の周囲に配置された第２の組の突出部とに分割される。第１の組の突出部の空気出口は、第２の組の突出部に向けて空気を放出するように配置され、第２の組の突出部表面の空気出口は、第１の組の突出部に向けて空気を放出するように配置されることが好ましい。
【００３６】
第６の態様において、本発明は、ヘアドライヤの空気流出口端部に取り付けるためのディフューザであって、ヘアドライヤからの空気流を受け取る少なくとも１つの空気入口と、空気流の第１の部分をディフューザから放出する複数の空気出口を含むグリルと、ユーザの毛髪に接触して空気流の第２の部分を放出するための、各々がグリルから離れた端部に位置するそれぞれの空気出口を含む、グリルから直立する複数の突出部とを含み、複数の突出部は、第１の組の突出部と、第１の組の突出部の周囲に配置された第２の組の突出部とを含み、第１の組の突出部の空気出口は、第２の組の突出部に向けて空気を放出するように配置され、第２の組の突出部面の空気出口は、第１の組の突出部に向けて空気を放出するように配置されたディフューザを提供する。
【００３７】
第１の組の突出部は、第１の環状配列で配置されることが好ましい。上述したように、この組の突出部は、実質的に空気出口を含まない外部グリルの領域から直立することが好ましい。第２の組の突出部は、第１の環状配列の周囲に広がる第２の環状配列で配置されることが好ましい。上述したように、この第２の組の突出部は、第２の空気出口の配列が配置されたグリルの周辺部から直立することが好ましい。これらの環状配列は同心状であることが好ましく、ディフューザの長手方向軸を中心とすることが好ましい。各環状配列内では、突出部が等角度で離間することが好ましい。
【００３８】
第１の組の突出部の各々の空気出口は、それぞれの半径方向外向きに、すなわちディフューザの長手方向軸から離れて延びるそれぞれの方向に空気を放出するように配置されることが好ましい。これとは逆に、第２の組の突出部の各々の空気出口は、それぞれの半径方向内向きに、すなわちディフューザの長手方向軸に向かって延びるそれぞれの方向に空気を放出するように配置されることが好ましい。
【００３９】
第１の組の突出部の各々は、第２の組の突出部のそれぞれに向けて空気を放出するように配置されることが好ましい。第２の組の突出部における突出部の数は、第１の組の突出部における突出部の数よりも多いことが好ましい。好ましい実施形態では、第２の組の突出部が、第１の組の突出部の数の２倍の突出部を含む。第２の組の突出部内では、１つおきの突出部が第１の組の突出部のそれぞれに空気を放出するように配置されることが好ましい。
【００４０】
ディフューザの使用中に、例えば突出部の空気出口を通じて空気室に水が入り込んだ場合には、ディフューザの（単複の）空気入口を通じてディフューザが取り付けられたヘアドライヤ内に位置する加熱要素に水が到達するのを防ぐことが望ましい。バッフルの空気入口端部は、空気出口を通じて空気室に入り込んだ水を受け取るための、（単複の）空気入口から離間した排水チャネルを含むことが好ましい。排水チャネルは、（単複の）空気入口から離れて水を排出するための少なくとも１つの、好ましくは複数の排水穴を含むことが好ましい。
【００４１】
第７の態様において、本発明は、ヘアドライヤの空気流出口端部に取り付けるためのディフューザであって、空気入口端部と、空気出口端部と、空気入口端部と空気出口端部との間に延びる外向きテーパ壁とを含み、拡散空気室を定めるバッフルと、バッフルに接続された、複数の空気出口を含むグリルとを備え、バッフルの空気入口端部は、少なくとも１つの空気入口と、空気出口を通じて空気室に入り込んだ水を受け取るための、少なくとも１つの空気入口から離間した排水チャネルとを含み、排水チャネルは、少なくとも１つの空気入口から離れて水を排出するための少なくとも１つの排水穴を含むディフューザを提供する。
【００４２】
排水チャネルは、バッフルの（単複の）空気入口を取り囲むように環状の形状であることが好ましい。排水チャネルは、壁部の内面に沿ってバッフルの空気入口端部の方に流れた水を受け取るように、バッフルの外向きテーパ壁に隣接して位置することが好ましい。排水チャネルは、複数の排水穴を含むことが好ましく、これらの排水穴は、ディフューザの長手方向軸の周囲で均一に又は等角度で離間することが好ましい。
【００４３】
排水穴は、水をディフューザの外面上に直接排出するように配置することができる。好ましい実施形態では、ディフューザが、バッフルを取り囲む外壁を含む。排水穴は、外壁とバッフルとの間に位置する第２の、好ましくは環状の空気室内に水を排出するように配置され、外部環境に直接曝されないことが好ましい。これにより、ディフューザの使用中に排水穴が詰まるリスクを抑えることができる。ディフューザは、外壁に、又は外壁とバッフルとの間に、第２の空気室から水を排出できる開口部又はポートを含むことが好ましい。この第２の空気室は、環状であることが好ましい。第２の空気室は、外壁とバッフルの壁部との間に延びるリブ又はその他の部材によって複数の区分に分割することができる。
【００４４】
上述したように、バッフルのテーパ壁の内面は、排水チャネル内に水を誘導するように成形又は別様に配置することができる。排水チャネルは、バッフルのテーパ壁と、（単複の）空気入口からの空気を受け取る空気チャネルの外側チャネル壁との間に位置することが好ましい。この空気チャネルのチャネル壁も、浸入してきた水を排水チャネルの方に誘導するように成形されることが好ましい。例えば、チャネル壁は、ディフューザの長手方向軸に対し、排水チャネルの方に傾斜することができる。
【００４５】
空気チャネルは、第２の排水チャネルの周囲に延びることができる。この第２の排水チャネルは、（単複の）空気入口から離れて水を排出するための少なくとも１つの、好ましくは複数の第２の排水穴を含む。この第２の排水チャネルは、バッフルの内側チャネル壁と中心の円錐形又は切頭円錐形状の突出部との間に位置することが好ましい。この内側チャネル壁は、浸入してきた水を第２の排水チャネルの方に誘導するように成形されることが好ましい。例えば、内側チャネル壁は、ディフューザの長手方向軸に対し、第２の排水チャネルの方に傾斜することができる。国際公開第２０１５／００１３０６号に記載されている、ヘアドライヤの高温空気出口が環状ボアの周囲に広がるタイプのヘアドライヤと組み合わせてディフューザを使用した場合、第２の排水穴が、ヘアドライヤのボア内に、従ってヘアドライヤの高温空気出口から離れて水を排出することができる。
【００４６】
上述したように、ディフューザは、ディフューザの拡散空気室を取り囲む第２の空気室をバッフルと共に定める外壁を含むことが好ましい。ディフューザの使用中に高温空気が拡散空気室を通過すると、第２の空気室内の空気の温度が上昇して膨張する。ディフューザの使用中に第２の空気室から空気が流出し、その後にディフューザが冷えた時に第２の空気室に周囲空気が流入できるように、第２の空気室は、周囲雰囲気と流体連通する複数のポートを含むことが好ましい。
【００４７】
第８の態様において、本発明は、ヘアドライヤの空気流出口端部に取り付けるためのディフューザであって、ヘアドライヤからの空気流を受け取る少なくとも１つの空気入口と、空気流の少なくとも一部をディフューザから放出する複数の空気出口を含むグリルと、少なくとも１つの空気入口と空気出口との間を空気流が通り抜けるようにする拡散空気室を定める外向きテーパ壁を含むバッフルと、バッフルの壁部を取り囲んで、周囲雰囲気と流体連通する複数のポートを含む第２の空気室を壁部との間に定める外壁とを備えたディフューザを提供する。
【００４８】
各ポートは、スロットの形を取ることが好ましい。各スロットは湾曲することができ、好ましい実施形態では、各スロットが環状の形状である。各ポートは、外壁のそれぞれの端部に近接して位置することが好ましい。上述したように、ポートのうちの１つは、外壁（好ましくは外壁の端部）とバッフルとの間に位置することが好ましい。外壁は、ディフューザの外部グリルも取り囲むことが好ましく、ポートのうちの別の１つは、外壁（好ましくは外壁の別の端部）と外部グリルとの間に位置することが好ましい。
【００４９】
外壁は、概ね切頭円錐形の形状であることが好ましい。バッフルのテーパ壁から外壁を離間させ、従ってポートを空気が通過できるようにするために、バッフル及び外壁の一方は、バッフル及び外壁の他方と係合する複数のスペーサを含むことが好ましい。これらのスペーサは、ディフューザの長手方向軸の周囲で角度的に離間し、隣接するスペーサ間に、バッフル及び外壁の他方に配置された角度合わせ部材を収容するための複数の場所を提供することが好ましい。好ましい実施形態では、スペーサが外壁の内面に位置し、外壁と一体であることが好ましい。スペーサは、外壁の端部間に位置することが好ましい。組み立て中、外壁は、スペーサの端部においてバッフルに接合されることが好ましい。
【００５０】
バッフル、グリル及び外壁は、例えばガラス充填ナイロン材料などのプラスチック材料で形成されることが好ましい。外部グリルにバッフルを接合するための好ましい技術は、超音波溶接である。外部グリルは、バッフルの空気出口端部に接続されることが好ましく、従ってバッフルの空気出口端部は、外部グリルに超音波溶接された、空気出口端部から直立する円周方向に離間した複数の溶接リブを含むことが好ましい。外部グリルは、リブが溶接された環状の棚部を含むことが好ましい。棚部は、グリルのフランジ又はリムの形を取ることができるが、好ましい実施形態では、棚部が、グリルの端部とグリル内に形成された第２の開口部の配列との間に位置する。棚部は、リブに係合するための平坦な内面と、組み立て中に溶接ツールが配置される、内面に対向する平坦な外面とを有することが好ましい。
【００５１】
第９の態様において、本発明は、ヘアドライヤの空気流出口端部に取り付けるためのディフューザであって、空気入口端部と、空気出口端部と、空気入口端部と空気出口端部との間に延びる外向きテーパ壁とを含み、拡散空気室を定め、空気出口端部からは円周方向に離間した複数の溶接リブが直立するプラスチックバッフルと、複数の空気出口と、バッフルの溶接リブが超音波溶接された環状の棚部とを含むプラスチックグリルとを備えたディフューザを提供する。
【００５２】
外壁は、好ましくは外部グリルをバッフルに溶接するのと同時にバッフルの空気出口端部に超音波溶接された角度的に離間する複数の溶接リブも含むことが好ましい。外壁のリブは、外壁の内面に位置するスペーサ上に配置されることが好ましい。外壁のリブは、バッフルのリブの円形パターンと同じ直径及び半径方向長さを有する円形パターンで配置され、バッフルのリブと角度的に位置合わせされることが好ましい。
【００５３】
第１０の態様において、本発明は、ディフューザの組み立て方法であって、空気入口端部と、空気出口端部と、空気入口端部と空気出口端部との間に延びる外向きテーパ壁とを含み、拡散空気室を定め、空気出口端部からは円周方向に離間した複数の溶接リブが直立して円形パターンで配置されたプラスチックバッフルを準備するステップと、複数の空気出口及び環状の棚部を含むプラスチックグリルを準備するステップと、溶接リブが棚部の内面に係合するようにバッフルの空気出口端部を覆ってグリルを位置付けるステップと、グリルをバッフルに超音波溶接するステップとを含む方法を提供する。
【００５４】
第１１の態様において、本発明は、上述したディフューザと、少なくとも１つの空気出口を含む空気出口端部を有するヘアドライヤとの組み合わせを提供する。ヘアドライヤの（単複の）空気出口は、ヘアドライヤの空気出口端部の中心から離間することができ、ディフューザの（単複の）空気入口は、ヘアドライヤの（単複の）空気出口から放出された空気流を受け取るように配置することができる。
【００５５】
本発明の第１の態様に関連して上述した特徴は、本発明の第２〜第１１の態様の各々にも等しく当てはまり、その逆も同様である。
【００５６】
以下、添付図面を参照しながら、本発明の好ましい特徴をほんの一例として説明する。
【図面の簡単な説明】
【００５７】
【図１】ディフューザの上方から見た左側正面斜視図である。
【図２】ディフューザの上方から見た右側後面斜視図である。
【図３】ディフューザの上面図である。
【図４】ディフューザの側面図である。
【図５】ディフューザの下面図である。
【図６】ディフューザの左側正面分解図である。
【図７】ディフューザの右側後面分解図である。
【図８（ａ）】ディフューザのバッフルの上面図である。
【図８（ｂ）】バッフルの側面図である。
【図８（ｃ）】バッフルの下面図である。
【図９（ａ）】図３の線Ｙ−Ｙに沿って切り取った側面断面図である。
【図９（ｂ）】図３の線Ｚ−Ｚに沿って切り取った側面断面図である。
【図９（ｃ）】図３の線Ｘ−Ｘに沿って切り取った側面断面図である。
【図１０】ディフューザを接続できるヘアドライヤの一例の上方から見た左側正面斜視図である。
【発明を実施するための形態】
【００５８】
図１〜図５は、ディフューザ１０の外観図である。ディフューザ１０は、ヘアドライヤの空気流出口端部からの空気流を受け取るための空気入口１２を含む。図６〜図８も参照すると、空気入口１２は、概ね環状の形状であり、バッフル１６の空気入口端部１４に位置するスロットの形を取る。バッフル１６は、空気入口端部１４よりも大きな空気出口端部１８と、空気入口端部１４と空気出口端部１８との間に延びる外向きテーパ壁２０とを有する。図９（ａ）〜図９（ｃ）に示すように、バッフル１６のテーパ壁２０は、ディフューザ１０内の空気流が通過する拡散空気室２２を定める。
【００５９】
バッフル１６は、空気入口１２からの空気流を受け取るための環状空気チャネル２４を含み、ここから空気流が空気室２２内に放出される。空気チャネル２４は、バッフル１６の空気入口１４から直立する環状内壁２６及び環状外壁２８と、内壁２６と外壁２８との間に延びる環状端壁３０とによって定められる。内壁２６は、空気チャネル２４の第１の組の空気出口３２を含み、外壁２８は、空気チャネル２４の第２の組の空気出口３４を含む。第１の組の空気出口３２は、ディフューザ１０の長手方向軸Ａと、長手方向軸Ａに向かって内向きにテーパ状にされた切頭円錐形の突出部３６とに向けて半径方向内向きに空気を放出するように配置される。第２の組の空気出口３４は、ディフューザ１０の長手方向軸Ａから離れてバッフル１６のテーパ壁２０に向けて半径方向外向きに空気を放出するように配置される。空気チャネル２４の各組の空気出口３２、３４は、ディフューザ１０の長手方向軸Ａの周囲に等角度で配置された６つの空気出口を含む。第１の組の空気出口３２は、第２の組の空気出口３４と半径方向に重ならないように、第２の組の空気出口３４に対して角度的にオフセットされている。
【００６０】
バッフル１６の空気出口端部１８には、外部グリル４０が接続される。外部グリル４０は、概ね凹形の形状である。外部グリル４０は、ディフューザ１０から空気流の第１の部分を放出する空気出口を含む。これらの空気出口は、外部グリル４０の中心部に位置する第１の空気出口の配列４２と、第１の空気出口の配列４２の周囲に広がる外部グリル４０の周辺部に位置する第２の空気出口の配列４４とを含む。空気出口４２、４４は、同じサイズ及び形状を有する。各空気出口４２、４４は、断面が円形である。各空気出口４２、４４は、円筒形の形状とすることができるが、この実施形態では、各空気出口４２、４４が切頭円錐形の形状であり、外部グリル４０の内面から外部グリル４０の外面に向かって内向きにテーパ状になっている。各空気出口４２、４４は、外面において０．５ｍｍ〜２．５ｍｍの、この実施形態では１．５ｍｍ〜１．６ｍｍの直径を有する。外部グリル４０の外面上の各空気出口４２、４４の周囲は、外部グリル４０の内面上の空気出口の周囲よりも鋭利である。内面上の空気出口の周囲は丸みを帯び、０．２ｍｍ〜０．４ｍｍの半径の曲率を有することが好ましい。
【００６１】
空気出口４２、４４は、各配列内で規則的に離間する。隣接する空気出口間の間隔は０．５ｍｍ〜２ｍｍであり、この実施形態でも１．５ｍｍ〜１．６ｍｍである。
【００６２】
特に図７を参照すると、第１の空気出口の配列４２は、長手方向軸Ａの周囲に広がる第１の環状配列で配置され、一般に空気チャネル２４の第１の組の空気出口３２から放出された空気流を受け取る。第２の空気出口の配列４４は、第１の空気出口の配列４２を同心状に取り囲む第２の環状配列で配置される。第２の組の空気出口４４は、一般に空気チャネル２４の第２の組の空気出口３４から放出された空気流を受け取る。
【００６３】
組の空気出口４２、４４間に位置する外部グリル４０の環状領域４６には、外部グリル４０の空気出口が実質的に存在しない。図３及び図６に示すように、この実施形態では、この外部グリル４０の領域４６の外面には、空気出口４２、４４と実質的に同じサイズ及び形状を有する環状の凹部の配列４８が形成されているが、これは必須でなく、例えばこの領域の外面４８には、別の輪郭を描くことも、或いは概ね平坦とすることもできる。環状領域４６のサイズは、ディフューザ１０から均一に拡散された空気が放出されるのを促すように、外部グリル４０の外面の表面積の１０％〜４０％を、好ましくは１５％〜３５％を占めるようにされる。
【００６４】
ディフューザ１０は、ユーザの毛髪に接触してディフューザ１０から空気流の第２の部分を放出するための複数の突出部も含む。これらの突出部は、外部グリル４０の外面から直立する。この実施形態では、突出部が、第１の組の突出部６０及び第２の組の突出部６２を含む。この実施形態では、第１の組の突出部６０が、第２の組の突出部６２と同じサイズ及び形状を有しているが、これらの突出部は異なるサイズを有することもできる。例えば、第１の組の突出部６０を第２の組の突出部６２より大きくすることもできる。
【００６５】
第１の組の突出部６０は、外部グリル４０の環状領域４６内に環状配列で配置される。この実施形態では、第１の組の突出部６０が、長手方向軸Ａの周囲に等角度で離間した６つの突出部を含む。第１の組の突出部６０の各々は、外部グリル４０に形成された空気入口６４と、空気出口６６と、空気入口６４から空気出口６６に空気を運ぶためのボア６８とを含む。空気入口６４は、円形の形状であり、外部グリル４０の空気出口４２、４４の直径よりも大きな直径を有する。空気出口６６は、突出部６０の高さの約２分の１の高さと、高さよりも小さな幅とを有する細長い側面空気出口の形を取る。第１の組の突出部６０の空気出口６６は、ディフューザ１０の長手方向軸Ａから離れて半径方向外向きに空気を放出するように配置される。
【００６６】
第２の組の突出部６２は、外部グリル４０の第２の空気出口の配列４４間に環状配列で配置される。この実施形態では、第２の組の突出部６２が、長手方向軸Ａの周囲に等角度で離間した１２個の突出部を含む。第２の組の突出部６２は、第１の組の突出部６０の各々が第２の組の突出部６２のそれぞれに向けて空気を放出するように配置される。第１の組の突出部６０と同様に、第２の組の突出部６２の各々も、外部グリル４０に形成された空気入口７０と、空気出口７２と、空気入口７０から空気出口７２に空気を運ぶためのボア７４とを含む。第２の組の突出部６２の空気出口７２は、第２の組の突出部６２の１つおきの突出部が第１の組の突出部６０のそれぞれに向けて空気を放出するように、ディフューザ１０の長手方向軸Ａに向けて半径方向内向きに空気を放出するように配置される。
【００６７】
空気室２２内には、内部グリル８０が配置される。内部グリル８０は、空気入口１２及び外部グリル４０のいずれからも離間する。内部グリル８０は、バッフル１６の空気入口端部１４と空気出口端部１８との間の空気流通路を通る開口部の配列８２を含むディスク又はプレートの形を取る。
【００６８】
内部グリル８０の開口部８２は、同じサイズ及び形状を有する。開口部８２は、断面が概ね円形である。開口部８２は、円筒形の形状とすることもできるが、この実施形態では、開口部８２が、空気入口１２に面する第１の入口面から外部グリル４０に面する第２の出口面に向かって内向きにテーパ状になっている。換言すれば、開口部８２は、概ね切頭円錐形の形状である。開口部８２は、出口面において１ｍｍ〜２ｍｍの直径を有する。内部グリル８０を空気が通過する際のノイズを低減するために、内部グリル８０の出口面上の各開口部８２の周囲は、内部グリル８０の入口面上の開口部８２の周囲よりも鋭利である。入口面上の開口部８２の周囲は丸みを帯び、０．２ｍｍ〜０．４ｍｍの半径の曲率を有することが好ましい。
【００６９】
図９（ａ）〜図９（ｃ）に示すように、内部グリル８０の周囲は、バッフル１６のテーパ壁２０の内面上に形成された桟部８４によって支持される。桟部８４は、バッフル１６の空気入口端部１４と空気出口端部１８との間の概ね中間に位置する。
【００７０】
ディフューザ１０を高温の空気流が通過すると、バッフル１６のテーパ壁２０の温度が上昇する。ディフューザ１０は、バッフル１６のテーパ壁２０からユーザを遮断するために、バッフル１６及び外部グリル４０を取り囲む外壁９０をさらに含む。外壁９０は、概ね切頭円錐形の形状であり、円形の第１の端部９２と、第１の端部９２よりも大きな円形の第２の端部９４とを有する。以下でさらに詳細に説明するように、外壁９０は、バッフル１６の空気出口端部１８に接続される。外壁９０は、ディフューザ１０の組み立て中にバッフル１６に接続される、外壁９０の内面上に形成された複数のスペーサ９６を含む。スペーサ９６は、円形配列で配置され、ディフューザ１０の長手方向軸Ａの周囲に等角度で離間する。スペーサ９６は、バッフル１６のテーパ壁２０から外壁９０を離間させて、これらの間に第２の又は環状の空気室１００を定める役割を果たす。ディフューザ１０は、環状空気室１００を大気雰囲気と流体連通させる複数のポートを含む。これにより、ディフューザ１０の使用中に環状空気室１００から暖気が運び出されるとともに、ディフューザ１０の使用後に環状空気室１００に冷気が入り込むようになる。各ポートは、環状空気室１００のそれぞれの端部に位置する環状スロットの形を取る。外壁９０の第１の端部９２とバッフル１６の空気入口端部１４との間には、第１のポート１０２が存在する。外壁９０の第２の端部９４と外部グリル４０との間には、第２のポート１０４が存在する。
【００７１】
ディフューザ１０の各コンポーネントは、プラスチック材料で形成され、この実施形態ではガラス充填ナイロンで形成される。
【００７２】
ディフューザ１０を組み立てるには、最初にバッフル１６内に内部グリル８０を配置して、内部グリル８０の周囲がバッフル１６の桟部８４に載るようにする。中心開口部１１０を含む内部グリル８０を、バッフル１６の切頭円錐形の突出部３６の端部に存在する雌コネクタ１１２の周辺回りに位置付ける。次に、バッフル１６を外壁９０内に配置して、バッフル１６の空気出口端部１８が外壁９０のスペーサ９６上に載るようにする。バッフル１６のテーパ壁２０の外面は、角度合わせ部材１１４を含み、この部材が隣接する一対のスペーサ９６間に受け入れられて、バッフル１６と外壁９０との正確な位置合わせが確実になる。次に、バッフル１６の空気出口端部１８上に外部グリル４０を位置付ける。外部グリル４０の内面は、雄コネクタ１１６を含み、バッフル１６の空気出口端部１８上に外部グリル４０を位置付けると、この雄コネクタ１１６がバッフル１６の雌コネクタ１１２に受け入れられる。コネクタ１１２、１１６は、この実施形態では雄コネクタ１１６上に形成された半径方向リブを受け入れるための雌コネクタ１１２の周囲に形成されたスロットの形を取る、外部グリル４０をバッフル１６と角度的に位置合わせする、互いに係合する位置合わせ部材を含む。このように外部グリル４０をバッフル１６に接続すると、内部グリル８０がバッフル１６と外部グリル４０との間に挟まれるようにもなる。
【００７３】
ディフューザ１０の組み立ては、超音波溶接を用いて外部グリル４０をバッフル１６に固定し、バッフル１６を外壁９０に固定することによって完了する。バッフル１６の空気出口端部１８からは、第１の組の円周方向に離間した溶接リブ１２０が直立する。リブ１２０は、外部グリル４０上に形成されて外部グリル４０の空気出口４２、４４を取り囲む環状棚部１２２の平坦な内面に係合する。外壁９０のスペーサ９６からは、第２の組の円周方向に離間した溶接リブ１２６が直立する。これらのリブ１２６は、バッフル１６の空気出口端部１８の下側に係合する。リブ１２０、１２６は、リブ１２０のそれぞれの下方に各接合部１２６が直接位置するように同様の円形パターンで配置される。組み立て時には、棚部１２２の外面上に超音波溶接ツールを位置付けて、外部グリル４０をリブ１２０においてバッフル１６に接合すると同時に、バッフル１６をリブ１２６において外壁９０に接合する。
【００７４】
使用時には、ディフューザ１０をヘアドライヤの空気流出口端部に取り付ける。例えば、ディフューザ１０は、バッフル１６の空気入口端部１４に存在する磁石１３０によってヘアドライヤに取り付けることができる。図１０に、ディフューザ１０を取り付けることができるヘアドライヤ１４０の例を示す。空気出口端部１４４に位置する環状スロット１４２から高温の空気流が放出されるこのようなヘアドライヤ１４０は、国際公開第２０１５／００１３０６号に記載されており、この特許の内容は引用によって本明細書に組み入れられる。スロット１４２は、ヘアドライヤ１４０のボア１４６の周囲に広がる。空気流は、ディフューザ１０の空気入口１２を通過して空気チャネル２４に入り込み、空気チャネル２４の空気出口３２、３４を通じて拡散空気室２２内に放出される。空気流は、内部グリル８０の開口部８２を通過して外部グリル４０の内面に至る。空気流の第１の部分は、外部グリル４０の空気出口４２、４４から放出され、空気流の第２の部分は、突出部６０、６２の空気出口６６、７２から放出される。
【００７５】
ディフューザ１０の使用中に、例えば突出部６０、６２のボア６８、７４を通じて空気室２２に水が入り込んだ場合、ディフューザ１０は、空気入口１２から離れてディフューザ１０から水を排出するための排水穴を含む。バッフル１６は、空気チャネル２４のテーパ壁２０と外壁２８との間に位置する第１の環状の排水チャネル１５０を含む。第１の排水チャネル１５０は、内部グリル８０を通過してテーパ壁２０の内面に流れ落ちる可能性のある水滴を受け取るように配置される。空気チャネル２４の外壁２８は、外壁２８上に浸入してきた水を第１の排水チャネル１５０に向けて誘導するように、ディフューザ１０の長手方向軸Ａに対して傾斜する。第１の排水チャネル１５０は、環状空気室１００内に水を排出するように配置された複数の排水穴１５２を含み、ここからポート１０２を通じて水を追い出すことができる。
【００７６】
バッフル１６は、空気チャネル２４の内壁２６と切頭円錐形の突出部３６との間に位置する第２の環状の排水チャネル１５４も含む。第２の排水チャネル１５４は、内部グリル８０を通過して突出部３６の表面に流れ落ちる可能性のある水滴を受け取るように配置される。空気チャネル２４の内壁２６も、内壁２６上に浸入してきた水を第２の排水チャネル１５４に向けて誘導するように、ディフューザ１０の長手方向軸Ａに対して傾斜する。第２の排水チャネル１５４は、突出部３６を通じて、ディフューザ１０がヘアドライヤ１４０に接続されている場合にはヘアドライヤ１４０のボア１４６内に水を排出するように配置された複数の第２の排水穴１５６を含む。空気チャネル２４の端壁３０は、空気入口１２内に水が直接落下するのを防ぎ、端壁３０上に浸入した水は、空気チャネル２４の内壁２６及び外壁２８の一方に排出される。
【符号の説明】
【００７７】
１４  空気入口端部
１６  バッフル
１８  空気出口端部
２０  外向きテーパ壁
２６  内壁
２８  外壁
３０  端壁
３２  第１の空気出口
３６  突出部
４０  外部グリル
４８  外面
６０  第１の突出部
６２  第２の突出部
６６  空気入口
７２  空気出口
８０  内部グリル
８２  開口部
８４  桟部
９０  外壁
９２  第１の端部
９４  第２の端部
９６  スペーサ
１１０  中心開口部
１１２  雌コネクタ
１２０  リブ
１２２  棚部
１２６  リブ
１５０  第１の排水チャネル
１５２  第１の排水穴
１５４  第２の排水チャネル
【図１】
0006453814.tif 000002
【図２】
0006453814.tif 000003
【図３】
0006453814.tif 000004
【図４】
0006453814.tif 000005
【図５】
0006453814.tif 000006
【図６】
0006453814.tif 000007
【図７】
0006453814.tif 000008
【図８（ａ）】
0006453814.tif 000009
【図８（ｂ）】
0006453814.tif 000010
【図８（ｃ）】
0006453814.tif 000011
【図９（ａ）】
0006453814.tif 000012
【図９（ｂ）】
0006453814.tif 000013
【図９（ｃ）】
0006453814.tif 000014
【図１０】
0006453814.tif 000015